(57)【特許請求の範囲】
【請求項１】
船舶などの浮体に超電導電磁推進装置を装備して湖沼や河川などに浮設することで一方から吸い込む湖沼や河川などの水を他端方へ吐出自在となし、かつ、前記超電導電磁推進装置による流水軌道上に微細エアー導入口やマグネット、浄化促進剤などの浄化促進手段を配備したことを特徴とする水浄化促進装置。
【請求項２】
河川の河川敷や土手などに超電導電磁推進装置付きの配管を配備して少なくとも下流側の水を上流側へ返送し再び河川を流すことを可能にした水浄化促進装置。
【発明の詳細な説明】
【０００１】
【産業上の利用分野】
この発明は、水浄化促進装置に関する。
【０００２】
【従来の技術】
特定の河川や湖沼などの汚染度は近年非常に高くなってきており、例えば、琵琶湖での汚染度は非常に高いものがある。
【０００３】
【発明が解決しようとする課題】
ところで、これまで水浄化対策は各種とられてきたが、浄化装置内に詰まりが発生するなどいずれも有効でなく、その対策が望まれてきたのが実状である。
【０００４】
この発明は前記課題を解決するためになされたもので、その目的とするところは、河川や湖沼などを対象としてそれらの水を有効に浄化することのできる水浄化装置を提供することにある。
【０００５】
【課題を解決するための手段】
この発明は前記課題を解決するためになされたもので、請求項１記載の発明は、船舶などの浮体に超電導電磁推進装置を装備して湖沼や河川などに浮設することで一方から吸い込む湖沼や河川などの水を他端方へ吐出自在となし、かつ、前記超電導電磁推進装置による流水軌道上に微細エアー導入口やマグネット、浄化促進剤などの浄化促進手段を配備したことを特徴とする。
【０００６】
請求項２記載の発明は、河川の河川敷や土手などに超電導電磁推進装置付きの配管を配備して少なくとも下流側の水を上流側へ返送し再び河川を流すことを可能にした。
【０００７】
【発明の実施の形態】
以下、図示した実施形態を参照してこの発明を詳細に説明する。
図１は、この発明の好適で基本的な実施形態を示すもので、同実施形態は、国内あるいはタイなどの外国における運河や河川などを対象にして、それら対象に超電導電磁推進装置Ａを搭載した船舶７０をアンカー７１…により一定水面上に定着させて水の浄化を積極的にするようにしたものである。超電導電磁推進装置Ａには、吸水パイプ７２と吐水パイプ７３を前後に備え、実線矢印の向きに浄化すべき水を流したり逆向きに流したりすることができるようになっている。
【０００８】
アンカー７１は、図示よりもさらに離間した相互間に投じれば、例えば、アンカードラム７４を適宜に操作することにより船舶７０を前後に移動させて浄化すべき範囲を拡大することができる。勿論、船舶７０を超電導電磁推進装置Ａで推進させることもできる。
【０００９】
尚、吐水パイプ７３には、エアー導入パイプ７５を臨ませてもよく、また吸水パイプ７２内にも臨ませてもよい。この場合のエアーは自然吸引式にしたり強制導入式にする。
【００１０】
さらに、図２に示すように、吐水パイプ７３の出口後方に遊転スクリュウ７６を備えてこれに吐水が当たることでその流れが放射方向に乱拡散するようにすることもできる。この場合、エアーも微細化して拡散し浄化が効果的になされる。
【００１１】
図３に示す例は、河川の水浄化をするもので、河川７８の下流側から上流側へ至る河川敷７９内に遮蔽カバー８０付き超電導電磁推進装置Ａを適宜間隔で配備した配管を埋設し、下流水をこの配管内に導入して超電導電磁推進装置Ａにより上流方向に導くとともに上流において河川７８内に放流して再度河川７８内で浄化されるようにしたものである。その途中にエアー導入手段を構成すれば、より浄化に役立つ。
【００１２】
尚、仮想線で示すように、河川脇にはポンプ場８２が設備されるが、その排水原動力として超電導電磁推進装置Ａを利用してもよい。
【００１３】
前記例のように、河川敷７９（あるいは河川底や土手でもよい）内に超電導電磁推進装置Ａを備えた配管を通しておけば、洪水で河川敷７９が決壊しそうになっても決壊を食い止める抵抗体として機能する。尚、洪水時には、超電導電磁推進装置Ａを逆流制御して上流側の水を下流側（できれば海まで）に超高速度（例えば、１００〜２００ｋｍ／ｈ）で輸送するようにすれば、洪水面レベルが下がる。こうした配管は複数本にしたり、向こう側の河川敷にも配してもよい。
【００１４】
図４に示す例は、例えば、淀川である河川８５が大阪湾である海８６に注ぐところに、超電導電磁推進装置Ａを配備したものである。この超電導電磁推進装置Ａは逆駆動可能にしてもよい。こうした河川出口に超電導電磁推進装置Ａを装備しておくと、例えば、この装置Ａを複数基配備して駆動することで、前記のような洪水時の積極的な水排除により流れを速くして決壊の危険を低くすることができる。
【００１５】
図５は、琵琶湖などの湖沼８８内に超電導電磁推進装置Ａ付き船舶８９を設置し、同装置Ａにより水を循環することで浄化するようにしたものである。この場合は、アンカー９０により船舶８９を停泊させてあるが、回遊するようにしてもよい。また、船舶８９は双胴船型にしてあるがこれに限定されない。さらに、超電導電磁推進装置Ａにはエアーを混入可能にしてもよいし、勿論同装置Ａは逆駆動可能にしてもよい。
【００１６】
図６に示す例は、同じく湖沼９２内に架台９３付きの超電導電磁推進装置Ａを縦置き式に設置し、下から上向きに水を噴出するようにして水浄化を図るようにしたものである。超電導電磁推進装置Ａの制御本体９４は、湖沼９２の内周囲に固定した架台９５上に設置してもよい。また、遊転スクリュウ９６を付加してもよい。さらに、微細エアーの混合手段やイオン混合手段を装備してもよい。
【００１７】
図７に示す例は、湖沼９９内に架台１００を設置して駆動軸１０１回りに回転自在に超電導電磁推進装置Ａを設置したもので、同装置Ａは、減速機付き水中モーター１０２で矢印のように往復駆動可能に構成したものである。これにより、超電導電磁推進装置Ａの角度を自在に変更することにより湖沼９９内を広範囲に浄化することができる。架台１００は仮想線のように形成してもよい。また、微細エアーやイオン混合も可能である。さらに、仮想線のように延長吐水パイプ１０３を長くすれば水面上に出て噴水を構成することもできる。また、超電導電磁推進装置ＡはＯＮ／ＯＦＦ自在であることから、吐水パイプ１０４から波動を発生させることができる。この波動発生方式は図１から図１０までのいすれにも適用される。
【００１８】
図８に示す例は、かなり汚染度の高い例えば、道頓堀川のような河川（あるいは湖沼）１０６に制御本体を内蔵した船舶１０７を設置し、この船舶１０７から鎖などの吊持部材１０８を垂れ下げてその下端に超電導電磁推進装置Ａを吊り下げたもので、１０９はウエイトで安定化のためである。１１０は吸水パイプ、１１１は吐水パイプで、逆駆動する場合これらは逆の関係になる。尚、アンカーで停泊可能にしてもよい。また、吊持部材１０８は、矢印のように伸縮可能にして超電導電磁推進装置Ａの角度を変更自在にしてもよい。さらに、吊持部材１０８を単一本にして超電導電磁推進装置Ａを旋回自在にしてもよい。
【００１９】
この場合も微細エアーやイオンを混合可能にしてもよいし、波動発生可能にしてもよい。
【００２０】
図９に示す例は、１１３が太平洋、１１４が瀬戸内海、１１５が四国大陸で、太平洋１１３側から瀬戸内海１１４までにかけて山超えで配管１１６を通し、その適宜個所に超電導電磁推進装置Ａ…を配備してなるものである。これにより、夜間電力を利用して超電導電磁推進装置Ａを稼動して太平洋１１３からの海水を瀬戸内海１１４まで移送して浄化や発電設備１１７の駆動に利用しようとするものである。この例は、例えば、ある山に超電導電磁推進装置Ａで河川水をくみ上げて水力発電設備により発電可能にする場合にも適用される。また、こうした揚水方式は、山火事を消火するシステムとしても機能し得る。
【００２１】
図１０に示す例は、高速道路１１９を利用して例えば、大阪から東京まで水の配管１２０を通し、これに超電導電磁推進装置Ａ…を配備して流れの弱い個所で力を付加し得るようにしたものである。いずれかの清浄水を都会に移送する場合にこうした技術を利用できる。
尚、前記各実施形態における超電導電磁推進装置Ａの吸水側および／または吐水側には、エアーの導入手段を構成することがあるが、吸水側および／または吐水側には、磁石やバイオ、腐植土、超音波、超微細エアー発生装置などのうちいずれかあるいはこれらを適宜組み合わせたものを配備してもよい。また、超電導電磁推進装置Ａは超低温状態になるもので、そのことを利用して発電とか超低温のプラント用にも利用することができる。プラントの１つとして、製氷によりスキー、スケート場としたり、冷蔵庫作りにより作物を保管するのに利用することもでき、水を活性化するのにも利用することもできる。
尚、船舶などの浮体は、吐水パイプの端部を９０度などに屈曲させて吐出方向を曲げることで同浮体を旋回自在にすることで湖沼水などをさらに攪拌させるようにしてもよい。この場合、浮体には攪拌を促進する突起などを配備したり浮体自体に通水孔を開けておいてそこに微細エアーを混入したりマグネットで水分子の微細化を図るようにしてもよい。
【００２２】
【発明の効果】
この発明は以上のように、船舶などの浮体に超電導電磁推進装置を装備して湖沼や河川などに浮設することで一方から吸い込む湖沼や河川などの水を他端方へ吐出自在となし、かつ、前記超電導電磁推進装置による流水軌道上に微細エアー導入口やマグネット、浄化促進剤などの浄化促進手段を配備したことを特徴とするので、河川や湖沼などを対象としてそれらの水を有効に浄化することのできる水浄化装置を提供することができる。
【図面の簡単な説明】
【図１】この発明の一実施形態を示す側面図。
【図２】吐水を拡散して浄化をさらに促進する例を示す側面図。
【図３】他の例を示す河川断面図。
【図４】他の浄化例を示す平面図。
【図５】湖沼での浄化例を示す平面図。
【図６】湖沼での他の浄化例を示す縦断面図。
【図７】湖沼での他の浄化例を示す縦断面図。
【図８】汚濁河川の浄化例を示す断面図。
【図９】他の浄化例を示す断面図。
【図１０】高速道路利用による水移送に超電導電磁推進装置を装備した例を示す斜視図。
【符号の説明】
Ａ…超電導電磁推進装置  ７２，１１０…吸水パイプ  ７３，１０４，
１１１…吐水パイプ。
【図１】
0004029381.tif 000002
【図２】
0004029381.tif 000003
【図３】
0004029381.tif 000004
【図４】
0004029381.tif 000005
【図５】
0004029381.tif 000006
【図６】
0004029381.tif 000007
【図７】
0004029381.tif 000008
【図８】
0004029381.tif 000009
【図９】
0004029381.tif 000010
【図１０】
0004029381.tif 000011